(57)【要約】方法は、タッチセンシティブディスプレイ上に情報を表示することと、情報に関連する場所でタッチを検出することと、情報内の位置でインジケータおよびカーソルをレンダリングすることと、インジケータに関連する移動タッチを検出することと、インジケータが移動するときに、情報に沿ってカーソルを移動させることとを含む。上記場所は、インジケータに関連する領域内にあり得る。上記カーソルは、上記場所から離間される、上記情報内の位置にレンダリングされ得る。
2012505444.tif 000002
【特許請求の範囲】
【請求項１】
タッチセンシティブディスプレイ上に情報を表示することと、
該情報に関連する場所でタッチを検出することと、
該情報内の位置でインジケータをレンダリングすることと、
該インジケータに関連する移動タッチを検出することと、
該インジケータが移動するときに、該情報に沿ってカーソルを移動させることと
を含む、方法。
【請求項２】
前記場所は、前記インジケータに関連する領域内にある、請求項１に記載の方法。
【請求項３】
前記カーソルは、前記場所から離間される、前記情報内の位置にレンダリングされる、請求項１に記載の方法。
【請求項４】
前記インジケータは、前記カーソルを少なくとも部分的に囲む、請求項１に記載の方法。
【請求項５】
前記タッチセンシティブディスプレイ上の前記タッチの適用された力を決定することを含み、前記インジケータは、該適用された力が閾値を超えるという決定に応じてレンダリングされる、請求項１に記載の方法。
【請求項６】
前記タッチセンシティブディスプレイ上で、閾値を超える適用された力を有するタッチの検出に応答して、前記カーソルを移動させることを含む、請求項１に記載の方法。
【請求項７】
前記インジケータをレンダリングすることは、該インジケータを第１の可視性でレンダリングすることを含み、前記情報を表示することは、該第１の可視性と比較して低減した可視性で、該インジケータを表示することを含む、請求項１に記載の方法。
【請求項８】
前記情報は、テキストを備える、請求項１に記載の方法。
【請求項９】
前記インジケータがレンダリングされるとき、予測テキストウィンドウをレンダリングすることを含む、請求項１に記載の方法。
【請求項１０】
前記移動タッチを検出する前に、前記情報内の前記位置に前記カーソルをレンダリングすることを含む、請求項１に記載の方法。
【請求項１１】
請求項１に記載の方法を実施するように、ポータブル電子デバイスの少なくとも１つのプロセッサによって実行可能であるコンピュータ読み取り可能コードを有するコンピュータ読み取り可能媒体。
【請求項１２】
情報を表示するように配列されるタッチセンシティブディスプレイと、
該情報に関連する場所でタッチを検出することと、該情報内の位置にインジケータをレンダリングすることと、該インジケータに関連する移動タッチを検出することと、該インジケータが移動するときに、該情報に沿ってカーソルを移動させることとを行うように、該タッチセンシティブディスプレイに動作可能に連結されるプロセッサと
を備える、ポータブル電子デバイス。
【請求項１３】
前記場所は、前記インジケータに関連する領域内にある、請求項１２に記載のポータブル電子デバイス。
【請求項１４】
前記インジケータは、前記カーソルを少なくとも部分的に囲む、請求項１２に記載のポータブル電子デバイス。
【請求項１５】
前記プロセッサに動作可能に連結されるアクチュエータを備え、前記インジケータは、前記タッチセンシティブディスプレイ上で、該アクチュエータの作動のための閾値力を超える適用された力に応答してレンダリングされる、請求項１２に記載のポータブル電子デバイス。
【請求項１６】
前記プロセッサに動作可能に連結されるアクチュエータを備え、前記カーソルは、前記タッチセンシティブディスプレイ上で、該アクチュエータの作動のための閾値力を超える、適用された力に応答して移動させられる、請求項１２に記載のポータブル電子デバイス。
【請求項１７】
タッチセンシティブディスプレイ上に情報を表示することと、
該情報に関連する第１の場所における第１のタッチおよび該情報に関連する第２の場所における第２のタッチを検出することであって、該第１のタッチおよび該第２のタッチは、時間が少なくとも部分的に重複する、ことと、
該第１の場所に第１のインジケータおよび第１のマーカをレンダリングすることと、
該第１のインジケータに関連する移動タッチを検出することと、
該第１のインジケータが移動させられるときに、該情報に沿って該第１のマーカを移動させることと
を含む、方法。
【請求項１８】
前記インジケータは、前記カーソルを少なくとも部分的に囲む、請求項１７に記載の方法。
【請求項１９】
前記情報は、テキストを備える、請求項１７に記載の方法。
【請求項２０】
請求項１７に記載の方法を実施するように、ポータブル電子デバイスの少なくとも１つのプロセッサによって実行可能であるコンピュータ読み取り可能コードを有する、コンピュータ読み取り可能媒体。
【請求項２１】
情報を表示するように配列されるタッチセンシティブディスプレイと、
該情報に関連する第１の場所における第１のタッチおよび該情報に関連する第２の場所における第２のタッチを検出することであって、該第１のタッチおよび該第２のタッチは、時間が少なくとも部分的に重複する、ことと、該第１の場所で第１のインジケータおよび第１のマーカをレンダリングすることと、該第２の場所で第２のインジケータおよび第２のマーカをレンダリングすることと、該第１のインジケータに関連する移動タッチを検出することと、該第１のインジケータが移動するときに、該情報に沿って該第１のマーカを移動させることとを行うように該タッチセンシティブディスプレイに動作可能に連結されるプロセッサと
を備える、ポータブル電子デバイス。
【請求項２２】
タッチセンシティブディスプレイ上に情報を表示することと、
該情報に関連する第１の場所で第１のタッチを検出することと、
該情報内の第１の位置で第１のインジケータをレンダリングすることと、
第２のタッチが該情報に関連する第２の場所で検出されるとき、第２の位置で第２のインジケータをレンダリングし、該第１の位置と該第２の位置との間で表示される情報を強調表示することと
を含む、方法。
【請求項２３】
前記第２の移動タッチを検出する前に、前記情報内の前記位置で前記カーソルをレンダリングすることを含む、請求項２２に記載の方法。
【請求項２４】
前記第２のインジケータがレンダリングされるときに、前記カーソルの表示を中断することを含む、請求項２３に記載の方法。
【請求項２５】
前記第２のインジケータをレンダリングする前に、前記第１のインジケータが移動するときに、前記情報に沿ってカーソルを移動させることを含む、請求項２２に記載の方法。
【請求項２６】
前記第２のインジケータがレンダリングされるとき、前記第１のインジケータを変更することを含む、請求項２２に記載の方法。
【請求項２７】
前記第１のインジケータおよび前記第２のインジケータのうちの一方の大部分は、前記強調表示された情報の最初の部分より上側に配向され、該第１のインジケータおよび該第２のインジケータのうちの他方の大部分は、該強調表示された情報の最後の部分より下側に配向される、請求項２２に記載の方法。
【請求項２８】
前記第１のインジケータおよび前記第２のインジケータの交差移動を検出することと、該第１のインジケータおよび該第２のインジケータの配向を切り替えることとを含む、請求項２７に記載の方法。
【請求項２９】
前記第１のインジケータが、前記情報内の第３の位置に移動するとき、該第３の位置と前記第２の位置との間に表示される前記情報を強調表示することを含む、請求項２２に記載の方法。
【請求項３０】
前記第２のインジケータが、前記情報内の第３の位置に移動するとき、前記第１の位置と該第３の位置との間に表示される前記情報を強調表示することを含む、請求項２２に記載の方法。
【請求項３１】
請求項２２に記載の方法を実施するように、ポータブル電子デバイスの少なくとも１つのプロセッサによって実行可能であるコンピュータ読み取り可能コードを有する、コンピュータ読み取り可能媒体。
【請求項３２】
情報を表示するように配列されるタッチセンシティブディスプレイと、
該情報に関連する第１の場所で第１のタッチを検出することと、該情報内の第１の位置で第１のインジケータをレンダリングすることと、第２のタッチが該情報に関連する第２の場所で検出されるとき、第２の位置で第２のインジケータをレンダリングすることと、該第１の位置と該第２の位置との間で表示される情報を強調表示することとを行うように該タッチセンシティブディスプレイに動作可能に連結されるプロセッサと
を備える、ポータブル電子デバイス。
【発明の詳細な説明】
【技術分野】
【０００１】
（発明の分野）
本発明は、タッチセンシティブディスプレイを含むポータブル電子デバイスを含むがこれに限定されない、電子デバイスに関する。
【背景技術】
【０００２】
（背景）
ポータブル電子デバイスを含む電子デバイスは、幅広い用途を占めており、例えば、電話、電子メッセージング、および他の個人情報マネージャ（ＰＩＭ）アプリケーション機能を含む多様な機能を提供することができる。ポータブル電子デバイスとして、単純な携帯電話、スマートフォン、ワイヤレスＰＤＡ、およびワイヤレス８０２．１１またはＢｌｕｅｔｏｏｔｈ対応機能を備えるノート型コンピュータ等のモバイルステーションを含むいくつかのタイプのデバイスが挙げられる。
【０００３】
ＰＤＡまたはスマートフォン等のポータブル電子デバイスは、概して、手持ち使用および携帯の容易さを目的とする。携帯性のために、より小型のデバイスが概して所望される。タッチセンシティブディスプレイは、タッチ画面ディスプレイとも呼ばれるが、小型で、ユーザ入力および出力のための限定されたスペースを有する、ハンドヘルドデバイス上で特に有用である。タッチセンシティブディスプレイ上に表示される情報は、実施されている機能および操作に依存して変更されてもよい。
【発明の概要】
【発明が解決しようとする課題】
【０００４】
タッチセンシティブディスプレイを備えるデバイスにおける改善が所望される。
【課題を解決するための手段】
【０００５】
以下に、タッチセンシティブディスプレイ上で第１のタッチを検出するため、タッチセンシティブディスプレイ上にレンダリングされたマーカに関連するインジケータをレンダリングするため、インジケータが、例えば、インジケータに関連する場所で開始し、タッチセンシティブディスプレイに沿って移動するタッチによって移動される時、マーカを移動させるためのポータブル電子デバイスおよび方法を説明する。
【０００６】
説明の簡易性および明確性のために、図中では、対応または同類の要素を示すために参照番号が繰り返される場合がある。本明細書に説明される実施形態の理解を実現するために、多数の詳細が記載される。実施形態は、これらの詳細なく実践されてもよい。他の事例において、周知の方法、手順、および構成要素は、説明される実施形態の不明瞭化を回避するために詳細に説明されない。説明は、本明細書に説明される実施形態の範囲を制限すると見なされてはならない。
【０００７】
本開示は、概して、本明細書に説明される実施形態においてはポータブル電子デバイスである、電子デバイスに関する。ポータブル電子デバイスの実施例として、ポケットベル、携帯電話、ポータブルスマートフォン、ワイヤレスオーガナイザ、パーソナルデジタルアシスタント、ワイヤレス対応のノート型コンピュータ等のモバイルまたはハンドヘルドのワイヤレス通信デバイスが挙げられる。ポータブル電子デバイスはまた、ハンドヘルド電子ゲーム機、デジタル式写真アルバム、デジタルカメラ、または他のデバイス等、ワイヤレス通信対応機能のないポータブル電子デバイスであってもよい。
【図面の簡単な説明】
【０００８】
【図１】図１は、本開示に従うポータブル電子デバイスの模式図である。
【図２】図２は、本開示に従う、タッチセンシティブディスプレイ上でカーソルの場所を制御する方法を示す流れ図である。
【図３】図３は、本開示に従う、ポータブル電子デバイスのタッチセンシティブディスプレイのためのカーソルの場所制御の実施例を示す。
【図４】図４は、本開示に従う、タッチセンシティブディスプレイ上で場所によって強調表示する方法を示す流れ図である。
【図５】図５は、本開示に従う、ポータブル電子デバイスのタッチセンシティブディスプレイ上でテキストを強調表示する実施例を示す。
【図６】図６は、本開示に従う、ポータブル電子デバイスのタッチセンシティブディスプレイ上でテキストを強調表示する実施例を示す。
【発明を実施するための形態】
【０００９】
ポータブル電子デバイス１００の実施例の模式図が、図１に示される。ポータブル電子デバイス１００は、ポータブル電子デバイス１００の全体的動作を制御する、プロセッサ１０２等の複数の構成要素を含む。データおよび音声通信を含めて、通信機能は、通信サブシステム１０４を介して実施される。ポータブル電子デバイス１００によって受信されるデータは、デコーダ１０６によって解凍され、解読される。通信サブシステム１０４は、ワイヤレスネットワーク１５０からメッセージを受信し、ワイヤレスネットワーク１５０へメッセージを送信する。ワイヤレスネットワーク１５０は、データワイヤレスネットワーク、音声ワイヤレスネットワーク、ならびに音声およびデータ両方の通信をサポートするネットワークを含むが、これらに限定されない、任意のタイプのワイヤレスネットワークであってもよい。１つ以上の充電池または外部電源へのポート等の電源１４２は、ポータブル電子デバイス１００に電力を供給する。
【００１０】
プロセッサ１０２は、ランダムアクセスメモリ（ＲＡＭ）１０８、メモリ１１０、合わせてタッチセンシティブディスプレイ１１８を成す、電子コントローラ１１６に動作可能に接続されるタッチセンシティブオーバーレイ１１４を備えるディスプレイ１１２、１つ以上のアクチュエータ１２０、１つ以上の力センサ１２２、補助入力／出力（Ｉ／Ｏ）サブシステム１２４、データポート１２６、スピーカ１２８、マイクロホン１３０、短距離通信１３２、および他のデバイスサブシステム１３４等の他の構成要素と相互作用する。グラフィックユーザインターフェースとのユーザ相互作用は、タッチセンシティブオーバーレイ１１４を介して実施される。プロセッサ１０２は、電子コントローラ１１６を経由して、タッチセンシティブオーバーレイ１１４と相互作用する。ポータブル電子デバイス上で表示またはレンダリングされてもよい、テキスト、文字、シンボル、画像、アイコン、および他の項目等の情報は、プロセッサ１０２を経由してタッチセンシティブディスプレイ１１８上に表示される。プロセッサ１０２は、重力または重力誘起反力の方向を検出するように利用されてもよい、加速度計１３６と相互作用することができる。
【００１１】
ネットワークアクセスのための加入者を特定するために、ポータブル電子デバイス１００は、ワイヤレスネットワーク１５０等のネットワークと通信するための加入者識別モジュールまたは着脱可能利用者識別モジュール（ＳＩＭ／ＲＵＩＭ）カード１３８を使用する。代替として、利用者識別情報は、メモリ１１０内にプログラムされてもよい。
【００１２】
ポータブル電子デバイス１００は、プロセッサ１０２によって実行され、メモリ１１０等の永続的、更新可能ストアに典型的に記憶される、オペレーティングシステム１４６およびソフトウェアプログラムまたはコンポーネント１４８を含む。追加のアプリケーションまたはプログラムは、ワイヤレスネットワーク１５０、補助Ｉ／Ｏサブシステム１２４、データポート１２６、短距離通信サブシステム１３２、または任意の他の好適なサブシステム１３４を介して、ポータブル電子デバイス１００上へロードされてもよい。
【００１３】
テキストメッセージ、電子メールメッセージ、またはウェブページダウンロード等の受信信号は、通信サブシステム１０４によって処理され、プロセッサ１０２へ入力される。プロセッサ１０２は、ディスプレイ１１２および／または補助Ｉ／Ｏサブシステム１２４へ出力するために、受信信号を処理する。加入者は、データ項目、例えば、電子メールメッセージを生成することができ、通信サブシステム１０４を介してワイヤレスネットワーク１５０を経て伝送されてもよい。音声通信の場合、ポータブル電子デバイス１００の全体的動作は類似する。スピーカ１２８は、電子信号から変換される可聴情報を出力し、マイクロホン１３０は、可聴情報を処理するための電子信号に変換する。
【００１４】
タッチセンシティブディスプレイ１１８は、当分野において周知の、容量性、抵抗性、赤外線、弾性表面波（ＳＡＷ）タッチセンシティブディスプレイ、歪みゲージ、光学撮像、分散信号技術、音響パルス認識等の任意の好適なタッチセンシティブディスプレイであってもよい。容量性タッチセンシティブディスプレイは、容量性タッチセンシティブオーバーレイ１１４を含む。オーバーレイ１１４は、例えば、基板、接地シールド層、バリア層、基板、または他のバリアによって分離される１つ以上の容量性タッチセンサ層、およびカバーを含む、スタック内の複数層のアセンブリであってもよい。容量性タッチセンサ層は、パターン酸化インジウム錫（ＩＴＯ）等の任意の好適な材料であってもよい。
【００１５】
１つ以上のタッチは、タッチ接触またはタッチイベントとも呼ばれるが、タッチセンシティブディスプレイ１１８によって検出されてもよい。プロセッサ１０２は、タッチの場所を含む、タッチの属性を決定することができる。タッチ場所データは、接触の領域、あるいは接触の領域の中心または近接の点等の接触の単一点を含むことができる。検出されるタッチの場所は、タッチセンシティブディスプレイ１１８の１つのビューに関して、それぞれ、ｘおよびｙ成分、例えば、水平方向および縦方向の成分を含むことができる。例えば、ｘ場所成分は、１つのタッチセンサから生成される信号によって決定されてもよく、ｙ場所成分は、別のタッチセンサから生成される信号によって決定されてもよい。タッチの検出に応答して、信号がコントローラ１１６に提供される。タッチセンシティブディスプレイ１１８の性質に依存して、指、親指、付属器、あるいは他の項目、例えば、スタイラス、ペン、または他のポインタ等の任意の好適な物体からのタッチが検出されてもよい。複数の同時のタッチが検出されてもよい。
【００１６】
アクチュエータ１２０は、アクチュエータ１２０の作動力を克服するように、タッチセンシティブディスプレイ１１８に対して十分な力を適用することによって、押圧されてもよい。アクチュエータ１２０は、タッチセンシティブディスプレイ１１８上のいずれかの場所を押下することによって作動されてもよい。アクチュエータ１２０は、作動時にプロセッサ１０２に入力を提供することができる。アクチュエータ１２０の作動は、触角フィードバックの提供をもたらすことができる。力が適用される時、タッチセンシティブディスプレイ１１８は、押圧可能、回転可能、および／または可動である。
【００１７】
機械式ドームスイッチアクチュエータが利用されてもよい。この実施例において、付与力によってドームが崩壊する時、およびスイッチの解放後ドームが停止位置に戻る時、触角フィードバックが提供される。
【００１８】
代替として、アクチュエータ１２０は、タッチセンシティブディスプレイ１１８のために触角フィードバックを提供する、１つ以上の圧電性（圧電）デバイスを備えることができる。圧電アクチュエータの収縮が、例えば、タッチセンシティブディスプレイ１１８に対して外部から加えられる力に反発する、ばね様の力を適用する。各圧電アクチュエータは、金属基板に接着される圧電性セラミックディスク等の圧電性デバイスを含む。金属基板は、圧電ディスクで電荷が蓄積することによって、またはタッチセンシティブディスプレイ１１８に適用される外部力等の力に応答して、圧電ディスクが収縮する時に屈曲する。電荷は、適用電圧または電流を変えることによって調整されてもよく、これによって、圧電ディスクによって適用される力を制御する。圧電アクチュエータ上の電荷は、圧電ディスクを拡大させる制御放電電流によって除去されてもよく、力を解放して、これによって、圧電ディスクによって加えられる力を減少させる。電荷は、触角フィードバックをユーザに提供するように、比較的短時間の間に有利に除去されてもよい。圧電ディスク上の外部力の不在および電荷の不在により、圧電ディスクは、機械的前負荷によってわずかに屈曲してもよい。
【００１９】
タッチセンシティブディスプレイ上のカーソルの場所を制御する方法を示す流れ図が図２に示される。方法は、例えば、プロセッサ１０２によって実行されるソフトウェアによって実施されてもよい。このような方法を実施するためのソフトウェアのコーディングは、本説明を前提として当業者の範囲内である。
【００２０】
例えば、電子メール、カレンダー、アドレス帳、ウェブブラウザ、または他の好適なアプリケーション等のアプリケーションのためのテキスト等の情報は、タッチセンシティブディスプレイ１１８上にレンダリングされる２０２。レンダリングされる情報はまた、例えば、キーボードの複数のキーも含むことができる。タッチセンシティブディスプレイ１１８によって、情報に関連する場所でタッチが検出される２０４時、タッチが１つ以上の条件を満たす２０６場合、インジケータおよびマーカは、まだ表示されていない場合には、情報に関連する場所でレンダリングされる２０８。条件は、例えば、タッチセンシティブディスプレイを押圧するタッチ等、力の閾値を超えるタッチを含むことができる。この状況において、マーカは、タッチの場所でレンダリングされる。条件はまた、インジケータに関連する領域内の場所での、タップとも呼ばれる、単一または複数のタッチも含むことができる。複数のタッチは、インジケータに関連する領域外の領域で位置付けられてもよい。インジケータは、図３に示されるように、マーカよりもサイズが有利に大きく、指等の接触部材による、より容易な処置および操作を促進する。インジケータは、マーカを部分的または完全に囲むことができ、インジケータに関連する領域は、マーカに近接または隣接する。マーカは、２０４でのタッチの検出の前にレンダリングされてもよいが、タッチの場所で、あるいは、カーソルの以前またはデフォルトの場所等の以前またはデフォルトの場所でレンダリングされてもよい。マーカは、カーソル、点滅バー、強調表示ボックス、キャレット、および／または任意の他の好適なマーカを含むことができる。マーカは、表示されるテキストの文字等、情報内の位置または場所を特定する。タッチセンシティブディスプレイ１１８によって移動タッチイベントが検出される２１０時、移動タッチイベントがインジケータに関連する領域内で発生したかどうかに関しての決定が行われる２１２。移動タッチイベントが、インジケータに関連する領域内の場所で発生した２１２時、マーカおよびインジケータは、タッチが移動するにつれて、情報に沿って移動する２１４。このように、インジケータの領域内の場所で発生したタッチが移動する時、タッチが終了するまで、例えば、検出されるタッチセンシティブディスプレイ１１８との接触が停止する時、タッチセンシティブディスプレイ１１８が押圧される時等、マーカ、例えば、カーソルは、タッチがどこへ移動しても、移動する。マーカが表示されている間、情報は、例えば、情報を挿入する、情報を削除する等によって、編集されてもよい。インジケータの領域に関連する場所ではない、移動していないタッチが検出される２１６時、または、インジケータの領域に関連する場所ではない、移動タッチが検出される２１２時、タッチセンシティブディスプレイ１１８は、インジケータの表示を中断し２１８、プロセスは２０４で継続する。
【００２１】
ポータブル電子デバイス１００のタッチセンシティブディスプレイ１１８のためのカーソルの場所制御の実施例は、図３の一連の図に示される。テキストの形式の情報３０２は、この実施例において、タッチセンシティブディスプレイ１１８上の電子メールのフィールド内にレンダリングされる２０２。キーボードの複数のキー３０４もまた、タッチセンシティブディスプレイ１１８上にレンダリングされる。テキスト内の場所３０６でタッチセンシティブディスプレイ１１８を押圧したタッチは、図３の上図に示され、マーカ３０８およびインジケータ３１０は、図３の中図の場所３０６でレンダリングされる。マーカ３０８は、強調表示された四角形で、インジケータ３１０は、概して四角形で、マーカ３０８を囲んで表示される。インジケータの外周は、陰影付きで、インジケータ３１０とマーカ３０８との間の領域は、陰影がなく、例えば、テキストをビューするためのウィンドウを形成する。このように、インジケータ３１０の属性および情報は、インジケータ３１０が表示される時、マーカ３０８および情報のビューを促進する。インジケータのより大きなサイズは、インジケータ３１０に関連する領域内の場所でタッチすることによって選択を促進する。インジケータ３１０の領域内の場所３０６で発生したタッチの移動は、図３の中図において矢印３１４によって示される。マーカ３０８およびインジケータ３１０は、図３の下図に示されるように、「ｃｈａｎｃｅ」の「ａ」から新しい場所、「ｈａｖｅ」と「ｃｈａｎｃｅ」との間のスペースへ移動する。この実施例において、マーカ３０８は、カーソルとして機能し、「ａ」は、テキストの「ｈａｖｅ  ｃｈａｎｃｅ」を「ｈａｖｅ  ａ  ｃｈａｎｃｅ」に変更するように、タッチセンシティブディスプレイを経由して入力されてもよい。インジケータ３１０は、マーカ３０８と連結して動作して、実際に、情報内のより容易かつより正確な制御および操作を促進する、より幅が広い、および／またはより縦に長い有効領域を有する、拡大カーソルとして機能する。インジケータの多種多様なサイズおよび／または形状が問題なく利用されてもよい。
【００２２】
タッチセンシティブディスプレイ１１８上の場所によって強調表示する方法を示す流れ図が図４に示される。方法は、例えば、プロセッサ１０２によって実行されるソフトウェアによって実施されてもよい。このような方法を実施するためのソフトウェアのコーディングは、本説明を前提として当業者の範囲内である。
【００２３】
例えば、電子メール、カレンダー、アドレス帳、ウェブブラウザ、または他の好適なアプリケーション等のアプリケーションのためのテキスト等の情報は、タッチセンシティブディスプレイ１１８上にレンダリングされる４０２。レンダリングされる情報はまた、例えば、キーボードの複数のキーも含むことができる。タッチセンシティブディスプレイ１１８によって、情報に関連する場所で最初のタッチが検出され４０４、最初のタッチの間または同時にさらなるタッチが検出される４０６時、最初のタッチの場所で１つおよび次のタッチの場所でさらなる１つの、インジケータがレンダリングされ４０８、これらの場所の間の情報が強調表示される４０８。インジケータは、図５に示されるように、テキスト内の単一文字よりもサイズが有利に大きく、指等の接触部材による、より容易な処置および操作を促進する。一方のインジケータは、強調表示されたテキスト内の最初の位置、つまり、強調表示されたテキストの先頭の文字に関連し、他方のインジケータは、強調表示されたテキスト内の最後の位置、つまり、強調表示されたテキストの最終の文字に関連する。テキスト内の最初の位置に関連するインジケータは、強調表示されたテキストより上側にその領域の大部分を使用して、例えば、上方配向において、有利に表示されてもよく、一方で、テキスト内の最後の位置に関連するインジケータは、強調表示されたテキストより下側にその領域の大部分を使用して、例えば、下方配向において、有利に表示されてもよい。タッチセンシティブディスプレイ１１８によって移動タッチイベントが検出される４１０時、移動タッチイベントがインジケータのうちの１つに関連する領域内で発生したかどうかに関しての決定が行われる４１２。移動タッチイベントが、インジケータのうちの１つに関連する領域内の場所で発生した４１２時、インジケータは、インジケータに関連する場所の間のテキストが強調表示されるように、強調表示されたテキストが選択または選択が解除されるにつれて、情報に沿って移動する４１４。このように、インジケータうちの１つの領域内の場所で発生したタッチが移動する時、タッチが終了するまで、例えば、検出されるタッチセンシティブディスプレイ１１８との接触が停止する時、タッチセンシティブディスプレイ１１８が押圧される時等、より多くまたはより少ないテキストが強調表示される。両方のインジケータは、同時に移動してもよく、強調表示されたテキストの両端で強調表示されるテキストの変化をもたらす。テキストが強調表示されている間、情報は、例えば、カット、コピー、ペースト等、任意のタイミングで編集されてもよく、この後、プロセスは４０２で継続する。インジケータのうちの１つの領域に関連する場所ではない、移動していないタッチが検出される４１６時、または、インジケータのうちの１つの領域に関連する場所ではない、移動タッチが検出される４１２時、タッチセンシティブディスプレイ１１８は、このインジケータの表示を中断する４１８。情報が編集される４２０場合、プロセスは４０２で継続するが、そうでなければ、インジケータのうちの１つに関連する領域において検出されたタッチによって、インジケータが再びレンダリングされることになり、プロセスは４１０で継続する。４０６でタッチが時間的に重複しない時、プロセスは、図２の２０６で継続する。
【００２４】
ポータブル電子デバイス１００のタッチセンシティブディスプレイ１１８上でテキストを強調表示する実施例は、図５の一連の図に示される。テキストの形式の情報３０２は、この実施例において、タッチセンシティブディスプレイ１１８上の電子メールのフィールドにレンダリングされる４０２。キーボードの複数のキー３０４もまた、タッチセンシティブディスプレイ１１８上にレンダリングされる。タッチは、図５の上図に示されるように、タッチセンシティブディスプレイ１１８によって、テキストに関連する２つの場所５０２、５０４で検出される。タッチ５０２、５０４は、時間が少なくとも部分的に重複する。タッチ５０２、５０４が、実質的に同時に開始する時、図５の中図に示されるように、２つのインジケータ５０８、５１２は、実質的に同時にレンダリングされる。１つのタッチ５０２が、次のタッチが開始する前に実質的に開始する時、図３の中図に示されるように、マーカ５０６および関連するインジケータがレンダリングされ、さらなるタッチが最初のタッチの間に検出される時、インジケータは、図５の形状および配向のインジケータ５０８に変更され、図５の中図に示されるように、情報内の次の場所に関連して別のインジケータ５１２がレンダリングされる。インジケータの間のテキストは、強調表示される。一方のインジケータ５１２は、情報の最初の部分または強調表示されたテキストの文字５１０で、他方のインジケータ５０８は、情報の最後の部分または強調表示されたテキストの文字５０６である。この実施例において、各インジケータ５０８、５１２は概して四角形で、インジケータの関連領域は、強調表示されたテキストよりも上側または下側に延在して、インジケータ５０８、５１２に関連する場所でタッチを促進する。一方のインジケータ５１２は、第２のインジケータ５１２の大部分が、強調表示された情報より上側に位置付けられる、または延在するように、強調表示された情報の最初の部分に位置付けられ、配向される。他方のインジケータ５０８は、第１のインジケータ５０８の大部分が、強調表示された情報より下側に位置付けられる、または延在するように、強調表示された情報の最後の部分に位置付けられ、配向される。各インジケータ５０８、５１２の外周は、陰影が付けられる。このように、インジケータの属性およびテキストは、インジケータが表示される時、インジケータおよびテキストのビューを促進する。上位のロケータ５１２に関連する場所５１４で発生するタッチの移動は、図５の中図において矢印５１６によって示される。「ｂｅｆｏｒｅｈａｎｄ」の「ｄ」から「Ｌｅｔ」の「Ｌ」への移動によって、テキスト３０２の最後の文だけを強調表示することになり、これは、例えば、メニュー選択または別のタッチを介して、カット、コピー、またはペーストする等、編集されてもよい。
【００２５】
図５を参照する上記の実施例において、第２のタッチは、時間が第１のタッチと少なくとも部分的に重複する。任意選択的に、強調表示は、第１および第２のタッチが時間的に重複することなく、実施されてもよい。ポータブル電子デバイス１００は、強調表示モードに入ることができ、この中では、タッチは時間的に重複する必要がなく、指または付属器等の単一の接触部材での選択を促進する。一実施例において、情報を強調表示するためのメニュー選択は、第１のタッチの前に選択されてもよい。代替として、単一のインジケータが、強調表示されるテキストのいずれかの終端にレンダリングされてもよい。単一のインジケータは、強調表示されたテキストの一方の終端に沿って移動し、強調表示されたテキストの他方の終端近辺のタッチが、強調表示されたテキストの他方の終端を調整するように、インジケータを提示する。
【００２６】
ポータブル電子デバイス１００のタッチセンシティブディスプレイ１１８上でテキストを強調表示する実施例は、図６の一連の図に示される。図５を参照して図示および説明される実施例と同様に、時間が少なくとも部分的に重複するタッチが検出される。図６の上図に示されるように、１つのインジケータ５１２は、強調表示されたテキスト内の最初の位置５１０で１つのタッチの場所にレンダリングされ、別のインジケータ５０８は、情報内の最後の位置５０６で他のタッチの場所にレンダリングされる。位置の間のテキストは、強調表示される。インジケータ５１２は、インジケータ５１２の大部分が、強調表示された情報より上側に位置付けられる、または延在するように、強調表示された情報の最初の部分に位置付けられ、配向される。インジケータ５０８は、インジケータ５０８の大部分が、強調表示された情報より下側に位置付けられる、または延在するように、強調表示された情報の最後の部分に位置付けられ、配向される。インジケータ５０８に関連する場所６０２で発生する移動タッチが検出され、タッチの移動は、図６の中図の矢印６０４によって示される。インジケータ５１２は、第３の場所へ移動し、強調表示は、図６の下図に示されるように、新しいインジケータの位置を考慮して、インジケータ５０８、５１２の間の情報を強調表示するように変更される。この実施例において、一方のインジケータ５０８の移動は、他方のインジケータ５１２の情報内の位置を交差し、インジケータの配向が切り替えられ、図６の下図に示されるように、最初の強調表示されたテキスト位置におけるインジケータ５０８の大部分は、強調表示されたテキストより上側に位置付けられ、最後の強調表示されたテキスト位置におけるインジケータ５１２の大部分は、強調表示されたテキストより下側に位置付けられるようになる。インジケータの多種多様なサイズおよび／または形状は、成功裏に利用されてもよい。
【００２７】
方法は、タッチセンシティブディスプレイ上に情報を表示するステップと、情報に関連する場所でタッチを検出するステップと、情報内の位置にインジケータをレンダリングするステップと、インジケータに関連する移動タッチを検出するステップと、インジケータが移動させられるにつれて、情報に沿ってカーソルを移動させるステップと、を含む。
【００２８】
コンピュータ読み取り可能媒体は、上記の方法を実施するように、ポータブル電子デバイスの少なくとも１つのプロセッサによって実行可能であるコンピュータ読み取り可能コードを有する。
【００２９】
ポータブル電子デバイスは、情報を表示するように配列されるタッチセンシティブディスプレイと、情報に関連する場所でタッチを検出し、情報内の位置にインジケータをレンダリングし、インジケータに関連する移動タッチを検出し、インジケータが移動させられるにつれて、情報に沿ってカーソルを移動させるように、タッチセンシティブディスプレイに動作可能に連結されるプロセッサと、を含む。
【００３０】
方法は、タッチセンシティブディスプレイ上に情報を表示するステップと、情報に関連する第１の場所における第１のタッチおよび情報に関連する第２の場所における第２のタッチを検出するステップであって、第１のタッチおよび第２のタッチは、時間が少なくとも部分的に重複する、ステップと、第１の場所で第１のインジケータおよび第１のマーカをレンダリングするステップと、第２の場所で第２のインジケータおよび第２のマーカをレンダリングするステップと、第１のインジケータに関連する移動タッチを検出するステップと、第１のインジケータが移動させられるにつれて、情報に沿って第１のマーカを移動させるステップと、を含む。
【００３１】
コンピュータ読み取り可能媒体は、上記の方法に従い上記の方法を実施するように、ポータブル電子デバイスの少なくとも１つのプロセッサによって実行可能であるコンピュータ読み取り可能コードを有する。
【００３２】
ポータブル電子デバイスは、情報を表示するように配列されるタッチセンシティブディスプレイと、情報に関連する第１の場所における第１のタッチおよび情報に関連する第２の場所における第２のタッチを検出し、第１のタッチおよび第２のタッチは、時間が少なくとも部分的に重複し、第１の場所で第１のインジケータおよび第１のマーカをレンダリングし、第２の場所で第２のインジケータおよび第２のマーカをレンダリングし、第１のインジケータに関連する移動タッチを検出し、第１のインジケータが移動させられるにつれて、情報に沿って第１のマーカを移動させるように、タッチセンシティブディスプレイに動作可能に連結されるプロセッサとを含む。
【００３３】
方法は、タッチセンシティブディスプレイ上に情報を表示するステップと、情報に関連する第１の場所で第１のタッチを検出するステップと、情報内の第１の位置で第１のインジケータをレンダリングするステップと、第２のタッチが情報に関連する第２の場所で検出される時、第２の位置で第２のインジケータをレンダリングし、かつ第１の位置と第２の位置との間で表示される情報を強調表示するステップと、を含む。
【００３４】
コンピュータ読み取り可能媒体は、上記の方法に従い上記の方法を実施するように、ポータブル電子デバイスの少なくとも１つのプロセッサによって実行可能であるコンピュータ読み取り可能コードを有する。
【００３５】
ポータブル電子デバイスは、情報を表示するように配列されるタッチセンシティブディスプレイと、情報に関連する第１の場所で第１のタッチを検出し、情報内の第１の位置で第１のインジケータをレンダリングし、第２のタッチが情報に関連する第２の場所で検出される時、第２の位置で第２のインジケータをレンダリングし、かつ第１の位置と第２の位置との間で表示される情報を強調表示するように、タッチセンシティブディスプレイに動作可能に連結されるプロセッサと、を含む。
【００３６】
マーカに関連するインジケータは、マーカの場所の制御を促進する。マーカは、情報の挿入、削除、および／または選択のために利用されてもよく、つまり、マーカは、カーソルとして機能することができる。さらに、インジケータは、カット、コピー、ペースト、移動、または削除のために情報を強調表示するように利用されてもよい。インジケータは、マーカに関連する領域よりも大きい領域に関連する。このため、インジケータは、マーカよりもタッチ選択および移動が容易である。さらに、各インジケータは、マーカの場所の微調整を提供するように、マーカを妨害することなく、インジケータの領域にタッチすることによって移動させられてもよく、正確な選択を促進し、デバイスの使用時間を減少させて、これによって、選択中の電力要件を減少させる。インジケータは、カーソル等のマーカをより容易かつ正確に移動させるため、およびテキストをより正確に選択するためのより大きい領域を提供し、タッチセンシティブディスプレイ上の情報のより容易、より迅速、より正確な編集をもたらす。
【００３７】
本開示は、その精神または重要な特長から逸脱することなく、他の特定の形式において具現化されてもよい。説明される実施形態は、あらゆる点において、図示であって制限ではないと見なされたい。したがって、本開示の範囲は、前述の説明ではなく、添付の請求項によって示される。請求項の同等の意図および限界内に留まる全ての変更は、それらの範囲内において包含されるものとする。
【図１】
2012505444.tif 000003
【図２】
2012505444.tif 000004
【図３】
2012505444.tif 000005
【図４】
2012505444.tif 000006
【図５】
2012505444.tif 000007
【図６】
2012505444.tif 000008
【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
タッチセンシティブディスプレイ上に情報を表示することと、
該情報に関連する第１の場所で第１のタッチを検出することと、
該情報内の第１の位置で第１のインジケータをレンダリングすることと、
第２のタッチが該情報に関連する第２の位置で検出されるとき、第２の位置で第２のインジケータをレンダリングし、該第１の位置と該第２の位置との間に表示される情報を強調表示することと
を含む、方法。
【請求項２】
前記第２のタッチを検出する前に前記情報内の前記位置においてカーソルをレンダリングすることを含む、請求項１に記載の方法。
【請求項３】
前記第２のインジケータがレンダリングされるときに、前記カーソルの表示を中断することを含む、請求項２に記載の方法。
【請求項４】
前記第２のインジケータをレンダリングする前に、前記第１のインジケータが移動するときに、前記情報に沿ってカーソルを移動させることを含む、請求項１に記載の方法。
【請求項５】
前記第２のインジケータがレンダリングされるとき、前記第１のインジケータを変更することを含む、請求項１に記載の方法。
【請求項６】
前記第１のインジケータおよび前記第２のインジケータのうちの一方の大部分は、前記強調表示された情報の最初の部分より上側に配向され、該第１のインジケータおよび該第２のインジケータのうちの他方の大部分は、該強調表示された情報の最後の部分より下側に配向される、請求項１に記載の方法。
【請求項７】
前記第１のインジケータおよび前記第２のインジケータの交差移動を検出することと、該第１のインジケータおよび該第２のインジケータの配向を切り替えることとを含む、請求項６に記載の方法。
【請求項８】
前記第１のインジケータが、前記情報内の第３の位置に移動するとき、該第３の位置と前記第２の位置との間に表示される前記情報を強調表示することを含む、請求項１に記載の方法。
【請求項９】
前記第２のインジケータが、前記情報内の第３の位置に移動するとき、前記第１の位置と該第３の位置との間に表示される前記情報を強調表示することを含む、請求項１に記載の方法。
【請求項１０】
前記第１のタッチおよび前記第２のタッチが少なくとも部分的に時間において重複する、請求項１に記載の方法。
【請求項１１】
前記インジケータが、少なくとも部分的に前記カーソルを囲む、請求項１に記載の方法。
【請求項１２】
前記タッチセンシティブディスプレイ上の前記タッチの適用された力を決定することを含み、前記インジケータは、該適用された力が閾値を超えるという決定に応じてレンダリングされる、請求項１に記載の方法。
【請求項１３】
請求項１に記載の方法を実施するように、ポータブル電子デバイスの少なくとも１つのプロセッサによって実行可能であるコンピュータ読み取り可能コードを有するコンピュータ読み取り可能媒体。
【請求項１４】
情報を表示するように配列されるタッチセンシティブディスプレイと、
該情報に関連する第１の場所で第１のタッチを検出することと、該情報内の第１の位置に第１のインジケータをレンダリングすることと、第２のタッチが該情報に関連する第２の位置で検出されるとき、第２の位置で第２のインジケータをレンダリングし、該第１の位置と該第２の位置との間に表示される情報を強調表示することとを行うように、該タッチセンシティブディスプレイに動作可能に連結されるプロセッサと
を備える、ポータブル電子デバイス。
【請求項１５】
前記第１のタッチおよび前記第２のタッチが少なくとも部分的に時間において重複する、請求項１４に記載のポータブル電子デバイス。
【手続補正２】
【補正対象書類名】明細書
【補正対象項目名】０００７
【補正方法】変更
【補正の内容】
【０００７】
本開示は、概して、本明細書に説明される実施形態においてはポータブル電子デバイスである、電子デバイスに関する。ポータブル電子デバイスの実施例として、ポケットベル、携帯電話、ポータブルスマートフォン、ワイヤレスオーガナイザ、パーソナルデジタルアシスタント、ワイヤレス対応のノート型コンピュータ等のモバイルまたはハンドヘルドのワイヤレス通信デバイスが挙げられる。ポータブル電子デバイスはまた、ハンドヘルド電子ゲーム機、デジタル式写真アルバム、デジタルカメラ、または他のデバイス等、ワイヤレス通信対応機能のないポータブル電子デバイスであってもよい。
例えば、本発明は以下の項目を提供する。
（項目１）
タッチセンシティブディスプレイ上に情報を表示することと、
該情報に関連する場所でタッチを検出することと、
該情報内の位置でインジケータをレンダリングすることと、
該インジケータに関連する移動タッチを検出することと、
該インジケータが移動するときに、該情報に沿ってカーソルを移動させることと
を含む、方法。
（項目２）
上記場所は、上記インジケータに関連する領域内にある、項目１に記載の方法。
（項目３）
上記カーソルは、上記場所から離間される、上記情報内の位置にレンダリングされる、項目１に記載の方法。
（項目４）
上記インジケータは、上記カーソルを少なくとも部分的に囲む、項目１に記載の方法。
（項目５）
上記タッチセンシティブディスプレイ上の上記タッチの適用された力を決定することを含み、上記インジケータは、該適用された力が閾値を超えるという決定に応じてレンダリングされる、項目１に記載の方法。
（項目６）
上記タッチセンシティブディスプレイ上で、閾値を超える適用された力を有するタッチの検出に応答して、上記カーソルを移動させることを含む、項目１に記載の方法。
（項目７）
上記インジケータをレンダリングすることは、該インジケータを第１の可視性でレンダリングすることを含み、上記情報を表示することは、該第１の可視性と比較して低減した可視性で、該インジケータを表示することを含む、項目１に記載の方法。
（項目８）
上記情報は、テキストを備える、項目１に記載の方法。
（項目９）
上記インジケータがレンダリングされるとき、予測テキストウィンドウをレンダリングすることを含む、項目１に記載の方法。
（項目１０）
上記移動タッチを検出する前に、上記情報内の上記位置に上記カーソルをレンダリングすることを含む、項目１に記載の方法。
（項目１１）
項目１に記載の方法を実施するように、ポータブル電子デバイスの少なくとも１つのプロセッサによって実行可能であるコンピュータ読み取り可能コードを有するコンピュータ読み取り可能媒体。
（項目１２）
情報を表示するように配列されるタッチセンシティブディスプレイと、
該情報に関連する場所でタッチを検出することと、該情報内の位置にインジケータをレンダリングすることと、該インジケータに関連する移動タッチを検出することと、該インジケータが移動するときに、該情報に沿ってカーソルを移動させることとを行うように、該タッチセンシティブディスプレイに動作可能に連結されるプロセッサと
を備える、ポータブル電子デバイス。
（項目１３）
上記場所は、上記インジケータに関連する領域内にある、項目１２に記載のポータブル電子デバイス。
（項目１４）
上記インジケータは、上記カーソルを少なくとも部分的に囲む、項目１２に記載のポータブル電子デバイス。
（項目１５）
上記プロセッサに動作可能に連結されるアクチュエータを備え、上記インジケータは、上記タッチセンシティブディスプレイ上で、該アクチュエータの作動のための閾値力を超える適用された力に応答してレンダリングされる、項目１２に記載のポータブル電子デバイス。
（項目１６）
上記プロセッサに動作可能に連結されるアクチュエータを備え、上記カーソルは、上記タッチセンシティブディスプレイ上で、該アクチュエータの作動のための閾値力を超える、適用された力に応答して移動させられる、項目１２に記載のポータブル電子デバイス。
（項目１７）
タッチセンシティブディスプレイ上に情報を表示することと、
該情報に関連する第１の場所における第１のタッチおよび該情報に関連する第２の場所における第２のタッチを検出することであって、該第１のタッチおよび該第２のタッチは、時間が少なくとも部分的に重複する、ことと、
該第１の場所に第１のインジケータおよび第１のマーカをレンダリングすることと、
該第１のインジケータに関連する移動タッチを検出することと、
該第１のインジケータが移動させられるときに、該情報に沿って該第１のマーカを移動させることと
を含む、方法。
（項目１８）
上記インジケータは、上記カーソルを少なくとも部分的に囲む、項目１７に記載の方法。
（項目１９）
上記情報は、テキストを備える、項目１７に記載の方法。
（項目２０）
項目１７に記載の方法を実施するように、ポータブル電子デバイスの少なくとも１つのプロセッサによって実行可能であるコンピュータ読み取り可能コードを有する、コンピュータ読み取り可能媒体。
（項目２１）
情報を表示するように配列されるタッチセンシティブディスプレイと、
該情報に関連する第１の場所における第１のタッチおよび該情報に関連する第２の場所における第２のタッチを検出することであって、該第１のタッチおよび該第２のタッチは、時間が少なくとも部分的に重複する、ことと、該第１の場所で第１のインジケータおよび第１のマーカをレンダリングすることと、該第２の場所で第２のインジケータおよび第２のマーカをレンダリングすることと、該第１のインジケータに関連する移動タッチを検出することと、該第１のインジケータが移動するときに、該情報に沿って該第１のマーカを移動させることとを行うように該タッチセンシティブディスプレイに動作可能に連結されるプロセッサと
を備える、ポータブル電子デバイス。
（項目２２）
タッチセンシティブディスプレイ上に情報を表示することと、
該情報に関連する第１の場所で第１のタッチを検出することと、
該情報内の第１の位置で第１のインジケータをレンダリングすることと、
第２のタッチが該情報に関連する第２の場所で検出されるとき、第２の位置で第２のインジケータをレンダリングし、該第１の位置と該第２の位置との間で表示される情報を強調表示することと
を含む、方法。
（項目２３）
上記第２の移動タッチを検出する前に、上記情報内の上記位置で上記カーソルをレンダリングすることを含む、項目２２に記載の方法。
（項目２４）
上記第２のインジケータがレンダリングされるときに、上記カーソルの表示を中断することを含む、項目２３に記載の方法。
（項目２５）
上記第２のインジケータをレンダリングする前に、上記第１のインジケータが移動するときに、上記情報に沿ってカーソルを移動させることを含む、項目２２に記載の方法。
（項目２６）
上記第２のインジケータがレンダリングされるとき、上記第１のインジケータを変更することを含む、項目２２に記載の方法。
（項目２７）
上記第１のインジケータおよび上記第２のインジケータのうちの一方の大部分は、上記強調表示された情報の最初の部分より上側に配向され、該第１のインジケータおよび該第２のインジケータのうちの他方の大部分は、該強調表示された情報の最後の部分より下側に配向される、項目２２に記載の方法。
（項目２８）
上記第１のインジケータおよび上記第２のインジケータの交差移動を検出することと、該第１のインジケータおよび該第２のインジケータの配向を切り替えることとを含む、項目２７に記載の方法。
（項目２９）
上記第１のインジケータが、上記情報内の第３の位置に移動するとき、該第３の位置と上記第２の位置との間に表示される上記情報を強調表示することを含む、項目２２に記載の方法。
（項目３０）
上記第２のインジケータが、上記情報内の第３の位置に移動するとき、上記第１の位置と該第３の位置との間に表示される上記情報を強調表示することを含む、項目２２に記載の方法。
（項目３１）
項目２２に記載の方法を実施するように、ポータブル電子デバイスの少なくとも１つのプロセッサによって実行可能であるコンピュータ読み取り可能コードを有する、コンピュータ読み取り可能媒体。
（項目３２）
情報を表示するように配列されるタッチセンシティブディスプレイと、
該情報に関連する第１の場所で第１のタッチを検出することと、該情報内の第１の位置で第１のインジケータをレンダリングすることと、第２のタッチが該情報に関連する第２の場所で検出されるとき、第２の位置で第２のインジケータをレンダリングすることと、該第１の位置と該第２の位置との間で表示される情報を強調表示することとを行うように該タッチセンシティブディスプレイに動作可能に連結されるプロセッサと
を備える、ポータブル電子デバイス。
【国際調査報告】
2012505444.tif 000009
2012505444.tif 000010
2012505444.tif 000011
2012505444.tif 000012
2012505444.tif 000013
2012505444.tif 000014
2012505444.tif 000015
2012505444.tif 000016
2012505444.tif 000017
2012505444.tif 000018
2012505444.tif 000019
2012505444.tif 000020
2012505444.tif 000021